(57)【要約】【課題】利用者にかかる負担を抑えつつ、利用者の所望するスライドショーとして電子アルバムを表示する。【解決手段】複数の画像を含む電子アルバムを表示する電子アルバム表示システムであって、複数の画像を、交換可能に設けられた記録媒体から読み取って再生する再生部と、無線通信によって再生部を遠隔操作するリモートコントローラと、再生部により再生された複数の画像のそれぞれを表示する画像表示部と、を備え、リモートコントローラは、複数の画像の再生順序を含むスケジュールを表示するスケジュール表示部と、スケジュールを編集する編集部と、編集されたスケジュールを記憶する記憶部と、記憶部に記憶されているスケジュールに従って複数の画像のそれぞれを順次再生させるべく、無線通信によって再生部を遠隔操作する遠隔操作部とを有する電子アルバム表示システムを提供する。【選択図】図２
2010104060.tif 000002
【特許請求の範囲】
【請求項１】
複数の画像を含む電子アルバムを表示する電子アルバム表示システムであって、
前記複数の画像を、交換可能に設けられた記録媒体から読み取って再生する再生部と、
無線通信によって前記再生部を遠隔操作するリモートコントローラと、
前記再生部により再生された前記複数の画像のそれぞれを表示する画像表示部と、
を備え、
前記リモートコントローラは、
前記複数の画像の再生順序を含むスケジュールを表示するスケジュール表示部と、
前記スケジュールを編集する編集部と、
編集された前記スケジュールを記憶する記憶部と、
前記記憶部に記憶されている前記スケジュールに従って前記複数の画像のそれぞれを順次再生させるべく、無線通信によって前記再生部を遠隔操作する遠隔操作部と
を有する電子アルバム表示システム。
【請求項２】
前記リモートコントローラは、
利用者による、前記再生部における前記複数の画像の再生動作を制御する制御操作を受ける制御操作部
を更に有し、
前記遠隔操作部は、前記制御操作部が前記制御操作を受けた場合に、前記制御操作に基づいて前記再生部を遠隔操作し、
前記編集部は、前記制御操作部が前記制御操作を受けた場合に、前記制御操作に基づいて前記スケジュールを変更して前記記憶部に記憶させる
請求項１に記載の電子アルバム表示システム。
【請求項３】
前記制御操作部は、前記制御操作として、前記再生部による一の画像の再生を中止させて、前記再生順序により定められている次の画像の再生を開始させる旨を示すスキップ操作を受け、
前記編集部は、前記一の画像の再生を開始させてから、前記一の画像の再生を中止させるまでに経過した時間が、予め定められた基準値より短い場合に、前記スケジュールの中から前記一の画像を削除することにより、前記スケジュールを変更して前記記憶部に記憶させる
請求項２に記載の電子アルバム表示システム。
【請求項４】
前記スケジュールは、前記複数の画像のそれぞれにおける再生時間を更に含み、
前記制御操作部は、前記制御操作として、前記再生部による一の画像の再生を一時停止させる旨を示す一時停止操作、及び一時停止された当該一の画像の再生を再開させる旨を示す一時停止解除操作のそれぞれを受け、
前記編集部は、前記制御操作部が前記一時停止操作を受けてから、前記一時停止解除操作を受けるまでに経過した時間がより長い程、前記スケジュールに含まれる前記一の画像の前記再生時間をより長くするべく、前記スケジュールを変更して前記記憶部に記憶させる
請求項２に記載の電子アルバム表示システム。
【請求項５】
前記スケジュールは、前記複数の画像のそれぞれについて、前記画像表示部が当該画像を表示する場合の、当該画像の回転角度を更に含み、
前記制御操作部は、前記制御操作として、一の画像における前記回転角度を制御する旨を示す回転角度制御操作を受け、
前記編集部は、前記回転角度制御操作に基づいて、前記スケジュールに含まれる、前記一の画像における前記回転角度を変更することにより、前記スケジュールを変更して前記記憶部に記憶させる
請求項２に記載の電子アルバム表示システム。
【請求項６】
前記スケジュールは、前記複数の画像のそれぞれについて、前記画像表示部が当該画像を表示する場合の表示倍率を更に含み、
前記制御操作部は、前記制御操作として、一の画像の前記表示倍率を制御する旨を示す表示倍率制御操作を受け、
前記編集部は、前記表示倍率制御操作に基づいて、前記スケジュールに含まれる、前記一の画像の前記表示倍率を変更することにより、前記スケジュールを変更して前記記憶部に記憶させる
請求項２に記載の電子アルバム表示システム。
【請求項７】
前記リモートコントローラは、
前記記憶部に記憶されている前記スケジュールを、無線通信によって前記再生部に送信するスケジュール送信部
を更に有し、
前記再生部は、更に、前記スケジュール送信部から受信した前記スケジュールを前記記録媒体に記録すると共に、前記記録媒体に記録した前記スケジュールに従って、前記複数の画像のそれぞれを順次読み取って再生する
請求項１に記載の電子アルバム表示システム。
【請求項８】
複数の画像を含む電子アルバムを表示する電子アルバム表示方法であって、
再生部が、前記複数の画像を、交換可能に設けられた記録媒体から読み取って再生する再生段階と、
無線通信によって前記再生部を遠隔操作するリモートコントロール段階と、
前記再生段階において再生された前記複数の画像のそれぞれを表示する画像表示段階と、
を備え、
前記リモートコントロール段階は、
前記複数の画像の再生順序を含むスケジュールを表示するスケジュール表示段階と、
前記スケジュールを編集する編集段階と、
編集された前記スケジュールを記憶する記憶段階と、
前記記憶段階において記憶された前記スケジュールに従って前記複数の画像のそれぞれを順次再生させるべく、無線通信によって前記再生部を遠隔操作する遠隔操作段階と
を有する電子アルバム表示方法。
【請求項９】
複数の画像を含む電子アルバムを表示する電子アルバム表示システムを機能させる電子アルバム表示プログラムであって、
前記電子アルバム表示システムを、
前記複数の画像を、交換可能に設けられた記録媒体から読み取って再生する再生部と、
無線通信によって前記再生部を遠隔操作するリモートコントローラと、
前記再生部により再生された前記複数の画像のそれぞれを表示する画像表示部と、
を備え、
前記リモートコントローラは、
前記複数の画像の再生順序を含むスケジュールを表示するスケジュール表示部と、
前記スケジュールを編集する編集部と、
編集された前記スケジュールを記憶する記憶部と、
前記記憶部に記憶されている前記スケジュールに従って前記複数の画像のそれぞれを順次再生させるべく、無線通信によって前記再生部を遠隔操作する遠隔操作部と
を有する電子アルバム表示システムとして機能させる電子アルバム表示プログラム。
【請求項１０】
交換可能に設けられた記録媒体から複数の画像を読み取って再生する再生部を遠隔操作するリモートコントローラであって、
前記複数の画像の再生順序を含むスケジュールを表示するスケジュール表示部と、
前記スケジュールを編集する編集部と、
編集された前記スケジュールを記憶する記憶部と、
前記記憶部に記憶されている前記スケジュールに従って前記複数の画像のそれぞれを順次再生させるべく、無線通信によって前記再生部を遠隔操作する遠隔操作部と
を備えるリモートコントローラ。
【請求項１１】
交換可能に設けられた記録媒体から複数の画像を読み取って再生する再生部を遠隔操作するリモートコントローラを機能させるリモートコントロールプログラムであって、
前記リモートコントローラを、
前記複数の画像の再生順序を含むスケジュールを表示するスケジュール表示部と、
前記スケジュールを編集する編集部と、
編集された前記スケジュールを記憶する記憶部と、
前記記憶部に記憶されている前記スケジュールに従って前記複数の画像のそれぞれを順次再生させるべく、無線通信によって前記再生部を遠隔操作する遠隔操作部と
を備えるリモートコントローラとして機能させるリモートコントロールプログラム。
【発明の詳細な説明】
【技術分野】
【０００１】
本発明は、電子アルバム表示システム、電子アルバム表示方法、電子アルバム表示プログラム、リモートコントローラ、及びリモートコントロールプログラムに関する。特に本発明は、複数の画像を含む電子アルバムを表示する電子アルバム表示システム、電子アルバム表示方法、及び電子アルバム表示プログラム、並びに当該電子アルバム表示システムにおいて用いられるリモートコントローラ、及びリモートコントロールプログラムに関する。
【背景技術】
【０００２】
近年、デジタルカメラが急速に普及している。デジタルカメラは、フィルムを感光させて被写体の光学像を記録する銀塩カメラとは異なり、被写体の光学像をＣＣＤ等を用いて受光し、デジタルデータとしてフラッシュメモリ等の記録媒体に記録する。そして、デジタルカメラにより撮像された画像の、デジタルデータであるという特徴を活かして、複数の画像を電子アルバムとして一纏めにして管理すると共に、電子アルバムに含まれる画像をスライドショー等として表示する技術が開示されている。
【０００３】
例えば、画像データをビデオストリームとして加工してＤＶＤ−Ｖｉｄｅｏディスクに記録し、当該ＤＶＤ−Ｖｉｄｅｏディスクを一般的なＤＶＤ−Ｖｉｄｅｏプレイヤーを用いて再生することにより、電子アルバムを表示する技術が開示されている（例えば、特許文献１参照）。また、パーソナルコンピュータ（ＰＣ）を用いて、画像ファイルをスライドショーとして順次表示するソフトウェアも開発されている。
特許文献１  特開２００３−２５９３０３
【発明の開示】
【発明が解決しようとする課題】
【０００４】
しかしながら、電子アルバムに含まれる画像をビデオストリームとして記録したＤＶＤ−Ｖｉｄｅｏディスクを再生することにより、電子アルバムをスライドショーとして表示する場合には、一旦作成したＤＶＤ−Ｖｉｄｅｏディスクにおけるスライドショーの内容を編集することは困難であり、利用者がスライドショーの内容に不満を感じる場合であっても、その不満を解消することができない場合が多かった。
【０００５】
また、ＰＣを用いてスライドショーを表示するソフトウェアを用いる場合には、ＰＣを準備したり、ＰＣやソフトウェアにおける複雑な操作を覚えたりすることにおける利用者の負担が大きく、一般の利用者が思い通りのスライドショーを表示することは、必ずしも実現されていなかった。
【０００６】
そこで本発明は、上記の課題を解決することができる電子アルバム表示システム、電子アルバム表示方法、電子アルバム表示プログラム、リモートコントローラ、及びリモートコントロールプログラムを提供することを目的とする。この目的は特許請求の範囲における独立項に記載の特徴の組み合わせにより達成される。また従属項は本発明の更なる有利な具体例を規定する。
【課題を解決するための手段】
【０００７】
上記課題を解決するために、本発明の第１の形態においては、複数の画像を含む電子アルバムを表示する電子アルバム表示システムであって、複数の画像を、交換可能に設けられた記録媒体から読み取って再生する再生部と、無線通信によって再生部を遠隔操作するリモートコントローラと、再生部により再生された複数の画像のそれぞれを表示する画像表示部と、を備え、リモートコントローラは、複数の画像の再生順序を含むスケジュールを表示するスケジュール表示部と、スケジュールを編集する編集部と、編集されたスケジュールを記憶する記憶部と、記憶部に記憶されているスケジュールに従って複数の画像のそれぞれを順次再生させるべく、無線通信によって再生部を遠隔操作する遠隔操作部とを有する。リモートコントローラは、利用者による、再生部における複数の画像の再生動作を制御する制御操作を受ける制御操作部を更に有し、遠隔操作部は、制御操作部が制御操作を受けた場合に、制御操作に基づいて再生部を遠隔操作し、編集部は、制御操作部が制御操作を受けた場合に、制御操作に基づいてスケジュールを変更して記憶部に記憶させてもよい。
【０００８】
制御操作部は、制御操作として、再生部による一の画像の再生を中止させて、再生順序により定められている次の画像の再生を開始させる旨を示すスキップ操作を受け、編集部は、一の画像の再生を開始させてから、一の画像の再生を中止させるまでに経過した時間が、予め定められた基準値より短い場合に、スケジュールの中から一の画像を削除することにより、スケジュールを変更して記憶部に記憶させてもよい。スケジュールは、複数の画像のそれぞれにおける再生時間を更に含み、制御操作部は、制御操作として、再生部による一の画像の再生を一時停止させる旨を示す一時停止操作、及び一時停止された当該一の画像の再生を再開させる旨を示す一時停止解除操作のそれぞれを受け、編集部は、制御操作部が一時停止操作を受けてから、一時停止解除操作を受けるまでに経過した時間がより長い程、スケジュールに含まれる一の画像の再生時間をより長くするべく、スケジュールを変更して記憶部に記憶させてもよい。
【０００９】
スケジュールは、複数の画像のそれぞれについて、画像表示部が当該画像を表示する場合の、当該画像の回転角度を更に含み、制御操作部は、制御操作として、一の画像における回転角度を制御する旨を示す回転角度制御操作を受け、編集部は、回転角度制御操作に基づいて、スケジュールに含まれる、一の画像における回転角度を変更することにより、スケジュールを変更して記憶部に記憶させてもよい。スケジュールは、複数の画像のそれぞれについて、画像表示部が当該画像を表示する場合の表示倍率を更に含み、制御操作部は、制御操作として、一の画像の表示倍率を制御する旨を示す表示倍率制御操作を受け、編集部は、表示倍率制御操作に基づいて、スケジュールに含まれる、一の画像の表示倍率を変更することにより、スケジュールを変更して記憶部に記憶させてもよい。
【００１０】
リモートコントローラは、記憶部に記憶されているスケジュールを、無線通信によって再生部に送信するスケジュール送信部を更に有し、再生部は、更に、スケジュール送信部から受信したスケジュールを記録媒体に記録すると共に、記録媒体に記録したスケジュールに従って、複数の画像のそれぞれを順次読み取って再生してもよい。
【００１１】
また、本発明の第２の形態においては、複数の画像を含む電子アルバムを表示する電子アルバム表示方法であって、再生部が、複数の画像を、交換可能に設けられた記録媒体から読み取って再生する再生段階と、無線通信によって再生部を遠隔操作するリモートコントロール段階と、再生段階において再生された複数の画像のそれぞれを表示する画像表示段階と、を備え、リモートコントロール段階は、複数の画像の再生順序を含むスケジュールを表示するスケジュール表示段階と、スケジュールを編集する編集段階と、編集されたスケジュールを記憶する記憶段階と、記憶段階において記憶されたスケジュールに従って複数の画像のそれぞれを順次再生させるべく、無線通信によって再生部を遠隔操作する遠隔操作段階とを有する。
【００１２】
また、本発明の第３の形態においては、複数の画像を含む電子アルバムを表示する電子アルバム表示システムを機能させる電子アルバム表示プログラムであって、電子アルバム表示システムを、複数の画像を、交換可能に設けられた記録媒体から読み取って再生する再生部と、無線通信によって再生部を遠隔操作するリモートコントローラと、再生部により再生された複数の画像のそれぞれを表示する画像表示部と、を備え、リモートコントローラは、複数の画像の再生順序を含むスケジュールを表示するスケジュール表示部と、スケジュールを編集する編集部と、編集されたスケジュールを記憶する記憶部と、記憶部に記憶されているスケジュールに従って複数の画像のそれぞれを順次再生させるべく、無線通信によって再生部を遠隔操作する遠隔操作部とを有する電子アルバム表示システムとして機能させる。
【００１３】
また、本発明の第４の形態においては、交換可能に設けられた記録媒体から複数の画像を読み取って再生する再生部を遠隔操作するリモートコントローラであって、複数の画像の再生順序を含むスケジュールを表示するスケジュール表示部と、スケジュールを編集する編集部と、編集されたスケジュールを記憶する記憶部と、記憶部に記憶されているスケジュールに従って複数の画像のそれぞれを順次再生させるべく、無線通信によって再生部を遠隔操作する遠隔操作部とを備える。
【００１４】
また、本発明の第５の形態においては、交換可能に設けられた記録媒体から複数の画像を読み取って再生する再生部を遠隔操作するリモートコントローラを機能させるリモートコントロールプログラムであって、リモートコントローラを、複数の画像の再生順序を含むスケジュールを表示するスケジュール表示部と、スケジュールを編集する編集部と、編集されたスケジュールを記憶する記憶部と、記憶部に記憶されているスケジュールに従って複数の画像のそれぞれを順次再生させるべく、無線通信によって再生部を遠隔操作する遠隔操作部とを備えるリモートコントローラとして機能させる。
【００１５】
なお、上記の発明の概要は、本発明の必要な特徴の全てを列挙したものではなく、これらの特徴群のサブコンビネーションもまた、発明となりうる。
【発明の効果】
【００１６】
本発明によれば、利用者にかかる負担を抑えつつ、利用者の所望するスライドショーとして電子アルバムを表示することができる。
【図面の簡単な説明】
【００１７】
【図１】本発明の実施形態に係る電子アルバム表示システム１０の外観の一例を示す図である。
【図２】本発明の実施形態に係る電子アルバム表示システム１０の機能構成の一例を示すブロック図である。
【図３】本発明の実施形態に係る記憶部２２０に記憶されているスケジュールの一例を示す図である。
【図４】本発明の実施形態に係る画像表示部１１０により表示される画面の変化の一例を示す図である。
【図５】本発明の実施形態に係る画像表示部１１０により表示される画面の変化の他の例を示す図である。
【図６】本発明の実施形態に係る電子アルバム表示システム１０における処理の流れの一例を示すフローチャートである。
【図７】図６に示したＳ１０３０における詳細な処理の流れの一例を示すフローチャートである。
【図８】本発明の実施形態に係るコンピュータ１５００のハードウェア構成の一例を示すブロック図である。
【発明を実施するための最良の形態】
【００１８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１９】
図１は、本発明の実施形態に係る電子アルバム表示システム１０の外観の一例を示す。電子アルバム表示システム１０は、再生部１００、画像表示部１１０、及びリモートコントローラ１２０を備え、複数の画像を含む電子アルバムを表示する。具体的には、電子アルバム表示システム１０は、電子アルバムに含まれる複数の画像を、予め定められたスケジュールにより示される表示順序や表示時間等に従って、所謂スライドショーとして順次表示する。
【００２０】
再生部１００は、電子アルバムに含まれる複数の画像を、交換可能に設けられた記録媒体から読み取って再生する。例えば、記録媒体とはＤＶＤ−Ｖｉｄｅｏディスクであり、また、電子アルバムに含まれる複数の画像は、ＭＰＥＧ２等のフォーマットによるビデオストリームとして、スケジュールにより定められている表示順に、当該記録媒体に記録されていてよい。具体的には、複数の画像のそれぞれは、ＭＰＥＧ２等のフォーマットによるビデオストリームにおける、例えば３秒等の予め定められた時間だけ連続するフレーム画像として、記録媒体に記録されていてよい。より具体的には、複数の画像のそれぞれは、ＭＰＥＧ２フォーマットにおける、他のフレーム画像を用いることなく再生可能なフレーム画像であるＩピクチャとしてビデオストリームに含まれると共に、当該Ｉピクチャに予め定められた時間だけ続く、差分が０であるＢピクチャまたはＰピクチャとしてビデオストリームに含まれていてよい。この場合、再生部１００は、例えばＤＶＤ−Ｖｉｄｅｏプレイヤー等であり、ＤＶＤ−Ｖｉｄｅｏディスクである記録媒体からビデオストリームを読み取って再生することにより、電子アルバムに含まれる複数の画像を再生してよい。
【００２１】
また、これに代えて、電子アルバムに含まれる複数の画像は、例えば、ＪＰＥＧ等のフォーマットの画像ファイルとして、画像単位で記録媒体に記録されていてよい。この場合、再生部１００は、例えば、ＪＰＥＧ等のフォーマットの画像ファイルを再生する機能を有するＤＶＤ−Ｖｉｄｅｏプレイヤー等の画像再生装置であってよく、スケジュールに従って、電子アルバムに含まれる複数の画像ファイルのそれぞれを記録媒体から読み取って再生してよい。なお、記録媒体とは、ＣＤ−ＲＯＭやＤＶＤ−ＲＯＭ等の光学式記録媒体であってよく、また、フレキシブルディスク等の磁気記録媒体や、ＭＯ等の光磁気記録媒体、フラッシュメモリ等の半導体記録媒体であってもよい。また、記録媒体は、ＣＤ−ＲＯＭやＤＶＤ−ＲＯＭといった書き込み不可の記録媒体であってよく、また、ＣＤ−ＲやＤＶＤ−Ｒといった追記型の記録媒体や、ＣＤ−ＲＷやＤＶＤ−ＲＷといった書き換え型の記録媒体であってもよい。そして、再生部１００は、電子アルバムに含まれる複数の画像のそれぞれを示す映像信号を、画像表示部１１０に出力する。
【００２２】
画像表示部１１０は、例えばテレビ受像機であり、再生部１００により再生された複数の画像のそれぞれを示す映像信号を受け取って、当該複数の画像のそれぞれを画面に表示する。これにより、画像表示部１１０は、電子アルバムに含まれる複数の画像を、スライドショーとして表示することができる。
【００２３】
リモートコントローラ１２０は、無線通信によって再生部１００を遠隔操作する。例えば、リモートコントローラ１２０は、電子アルバムに含まれる複数の画像を、スライドショーのスケジュールにより示される画像の再生順序や再生時間に従って再生させるべく、再生部１００を遠隔操作してよい。また、例えば、リモートコントローラ１２０は、利用者による、リモートコントローラ１２０上に設けられたボタン等を用いた操作に基づいて、再生部１００における複数の画像の再生動作を制御するべく、再生部１００を遠隔操作してもよい。また、リモートコントローラ１２０は、電子アルバムに含まれる複数の画像のスライドショーにおけるスケジュールを再生部１００から取得して表示する。
【００２４】
本発明の実施形態に係る電子アルバム表示システム１０は、スライドショーにけるスケジュールを、リモートコントローラ１２０を用いて利用者に編集させることにより、利用者にかかる負担を抑えつつ、利用者の所望するスライドショーを提供することを目的とする。
【００２５】
図２は、本発明の実施形態に係る電子アルバム表示システム１０の機能構成の一例を示すブロック図である。電子アルバム表示システム１０は、再生部１００、画像表示部１１０、及びリモートコントローラ１２０を備える。再生部１００は、電子アルバムに含まれる複数の画像を、交換可能に設けられた記録媒体から読み取って再生し、当該複数の画像を示す映像信号を、画像表示部１１０に出力する。また、再生部１００は、電子アルバムに含まれる複数の画像の再生に先立って、当該複数の画像におけるスライドショーのスケジュールを画像として出力する。例えば、再生部１００は、当該スケジュールを、公知の方法を用いてＱＲコード（登録商標）等の２次元コードにエンコードし、当該２次元コードを示す映像信号を画像表示部１１０に出力してよい。画像表示部１１０は、再生部１００により再生された複数の画像のそれぞれを示す映像信号を受け取って、当該複数の画像のそれぞれを画面に表示する。また、画像表示部１１０は、複数の画像の表示に先立って、スケジュールを示す画像を画面に表示する。
【００２６】
リモートコントローラ１２０は、撮像部２００、スケジュール取得部２１０、記憶部２２０、スケジュール表示部２３０、制御操作部２４０、編集部２５０、及び遠隔操作部２６０を有し、無線通信によって再生部１００を遠隔操作する。撮像部２００は、例えばデジタルカメラであり、画像表示部１１０の画面を撮像し、撮像した画像を示す画像データを、スケジュール取得部２１０に出力する。スケジュール取得部２１０は、撮像部２００が撮像した、画像表示部１１０の画面を含む画像に基づいて、電子アルバムに含まれる複数の画像におけるスライドショーのスケジュールを取得する。具体的には、スケジュール取得部２１０は、撮像部２００が撮像した画像から、画像表示部１１０が複数の画像の表示に先立って表示した、スケジュールを示す２次元コード等の画像を抽出すると共に、抽出した２次元コード等の画像をデコードすることにより、スライドショーのスケジュールを取得する。そして、スケジュール取得部２１０は、取得したスケジュールを記憶部２２０に出力する。
【００２７】
記憶部２２０は、スケジュール取得部２１０から受け取ったスケジュールを記憶する。記憶部２２０は、例えばＤＲＡＭ等の揮発性メモリであってよく、また、例えばフラッシュメモリ等の不揮発性メモリであってもよい。スケジュール表示部２３０は、例えばリモートコントローラ１２０に設けられた液晶パネルであってよく、記憶部２２０に記憶されているスケジュールを表示する。
【００２８】
制御操作部２４０は、利用者による、再生部１００における複数の画像の再生動作を制御する制御操作を受ける。例えば、制御操作部２４０は、現在再生中の画像の再生動作を中止して、次の画像を再生させる旨を示す「スキップ」、現在再生中の画像の再生動作を一時停止させて、再生中の画像の再生状態を維持させる「一時停止」、再生動作の一時停止を解除する「一時停止解除」、画像を右回りまたは左回りに回転させて表示する「回転」、画像の表示倍率を大きくする「ズームイン」、及び画像の表示倍率を小さくする「ズームアウト」等の制御操作を示すボタンとしてリモートコントローラ１２０に設けられていてよい。そして、制御操作部２４０は、利用者から受けた制御操作を示す情報を、編集部２５０及び遠隔操作部２６０に出力する。
【００２９】
編集部２５０は、記憶部２２０に記憶されているスケジュールを編集し、編集したスケジュールを記憶部２２０に記憶させる。具体的には、編集部２５０は、制御操作部２４０が制御操作を受けた場合に、当該制御操作に基づいて、記憶部２２０に記憶されているスケジュールを変更して、記憶部２２０に記憶させる。
【００３０】
遠隔操作部２６０は、記憶部２２０に記憶されているスケジュールに従って複数の画像のそれぞれを順次再生させるべく、無線通信によって再生部１００を遠隔操作する。例えば、遠隔操作部２６０は、赤外線ＬＥＤ等を用いて、再生部１００に赤外線信号を送信することにより、再生部１００を遠隔操作する。
【００３１】
ここで、第１の例として、電子アルバムに含まれる複数の画像が記録されている記録媒体が、ＤＶＤ−Ｖｉｄｅｏディスクである場合について述べる。この場合、記録媒体に格納されているビデオストリームにおいては、電子アルバムに含まれる複数の画像のそれぞれに対するアクセスを容易にするべく、当該画像を示す１以上の連続するフレーム画像に対して、ＤＶＤ−Ｖｉｄｅｏ規格におけるＰＴＴ（Ｐａｒｔ  ｏｆ  Ｔｉｔｌｅ）、即ちチャプターが定義されていてよい。これにより、再生部１００が、記録媒体に格納されているビデオストリームを再生することによりスライドショーを再生する場合において、遠隔操作部２６０は、再生部１００において再生されるチャプターを制御することにより、再生される画像を切り替えることができる。従って、電子アルバムに含まれる複数の画像における、記憶部２２０に記憶されているスケジュールにより定められた再生順序が、ビデオストリームにフレーム画像として格納されている順序とは異なる場合であっても、遠隔操作部２６０は、スケジュールにより定められた順序で、当該複数の画像のそれぞれに対して定義されているチャプターに再生位置を順次移動させることにより、再生部１００に、スケジュールに従ってスライドショーを再生させることができる。なお、当該第１の例において、遠隔操作部２６０からＤＶＤ−Ｖｉｄｅｏプレイヤーである再生部１００に送信される赤外線信号は、本実施形態に係る電子アルバム表示システム１０に固有のものでなくともよく、再生部１００が通常のＤＶＤ−Ｖｉｄｅｏディスクを再生する場合に、再生部１００に対応したリモートコントローラから出力される、再生するチャプターを前後に移動させる操作や再生するチャプターを任意に指定する操作等を示す赤外線信号であってよい。これにより、再生部１００として、一般的なＤＶＤ−Ｖｉｄｅｏプレイヤーを利用することができる。
【００３２】
次に、第２の例として、電子アルバムに含まれる複数の画像が、ＪＰＥＧ等のフォーマットの画像ファイルとして記録媒体に記録されている場合について述べる。この場合、遠隔操作部２６０は、再生部１００において再生される画像を識別する画像識別子、例えば画像ファイルのファイル名等を変更することにより、再生される画像を切り替えることができる。従って、遠隔操作部２６０は、記憶部２２０に記憶されているスケジュールにより示される順序で、電子アルバムに含まれる複数の画像のそれぞれに対応する画像識別子を再生部１００に通知して当該画像の再生を実行させることにより、再生部１００に、スケジュールに従ってスライドショーを再生させることができる。
【００３３】
また、遠隔操作部２６０は、スケジュールに従って再生部１００にスライドショーを再生させるだけでなく、制御操作部２４０が利用者から制御操作を受けた場合に、当該制御操作に基づいて再生部１００を遠隔操作する。例えば、遠隔操作部２６０は、再生部１００に対して、画像の再生の一時停止、再生の一時停止の解除、表示される画像の回転角度の変更、及び表示される画像の表示倍率の変更等の操作を行うことにより、再生部１００における再生動作を操作してよい。なお、遠隔操作部２６０は、赤外線通信に代えて、ブルートゥース（登録商標）等の他の無線通信により再生部１００を遠隔操作してもよい。
【００３４】
本発明の実施形態に係る電子アルバム表示システム１０によれば、リモートコントローラ１２０を用いて、スライドショーのスケジュールを編集して、編集したスケジュールに従ってスライドショーを再生及び表示することができる。これにより、利用者は、記録媒体の内容を書き換えることなく、所望のスケジュールで表示される電子アルバムを鑑賞することができる。
【００３５】
また、本発明の実施形態に係る電子アルバム表示システム１０によれば、制御操作部２４０が受けた操作に基づいて、再生部１００における再生動作の遠隔操作と、スライドショーのスケジュールの編集とを、連動して実行することができる。これにより、利用者は、スライドショーの表示内容の変化を目で確認しながらスケジュールの編集を行うことができるので、パーソナルコンピュータ等を用いた、複雑な操作を伴うスケジュールの編集作業を行うことなく、容易に所望の電子アルバムを編集することができる。
【００３６】
また、本発明の実施形態に係る電子アルバム表示システム１０において、ＤＶＤ−Ｖｉｄｅｏプレイヤー等の、一般的な映像機器を用いることができる。これにより、利用者は、リモートコントローラ１２０を用意するのみで、手軽に電子アルバム表示システム１０を利用することができる。更に、リモートコントローラ１２０として、本図に示したリモートコントローラ１２０の機能を実現することのできるプログラムがインストールされた携帯電話端末を利用することもできる。この場合、携帯電話端末であるリモートコントローラ１２０は、再生部１００によって記録媒体から読み出された、スライドショーのスケジュール、記録媒体を識別するメディア識別子、及びスライドショーとして表示される複数の画像やスケジュールの組み合わせにより示されるコンテンツを識別するコンテンツ識別子等を、再生部１００または画像表示部１１０から無線通信を用いて取得してよい。また、この場合、携帯電話端末であるリモートコントローラ１２０は、ＣＤ−ＲＯＭやＤＶＤ−ＲＯＭ等の記録媒体の盤面に記載された情報、例えばＱＲコード（登録商標）としてエンコードされた情報を撮像部２００によって撮像して読み取ることにより、スライドショーのスケジュール、メディア識別子、及びコンテンツ識別子等を取得してもよい。以上のようにして、利用者は、より手軽に電子アルバム表示システム１０を利用することができる。
【００３７】
なお、電子アルバム表示システム１０の構成は、本図に示した構成に限定されず、本図に示した構成に多様な変更を加えた構成であってもよい。例えば、リモートコントローラ１２０は、撮像部２００に代えて、例えば赤外線通信やブルートゥース（登録商標）等の無線通信を用いて、再生部１００からスケジュールを受信するスケジュール受信部を有していてもよい。この場合、スケジュール取得部２１０は、スケジュール受信部により受信されたスケジュールを受け取り、記憶部２２０に記憶させる。
【００３８】
また、リモートコントローラ１２０は、記憶部２２０に記憶されているスケジュールを、例えば赤外線通信やブルートゥース（登録商標）等の無線通信を用いて再生部１００に送信するスケジュール送信部を更に有していてもよい。この場合、再生部１００は、スケジュール送信部から受信したスケジュールを記録媒体に記録すると共に、記録媒体に記録したスケジュールに従って、複数の画像のそれぞれを順次読み取って再生してよい。具体的には、再生部１００は、記録媒体に記録したスケジュールを読み取り、読み取ったスケジュールにより示される表示順序に従って、ＤＶＤ−Ｖｉｄｅｏディスクにおける再生位置や、再生するべき画像の画像識別子を変更することにより、当該スケジュールに従ってスライドショーを再生する。ここで、再生部１００は、受信したスケジュールを、書き換え可能または追記型の記録媒体に記録してよく、また、書き込み不可の記録媒体に設けられた、付帯情報記録用のメモリチップ等に記録してもよい。これにより、利用者は、一旦スケジュールを編集した後においては、リモートコントローラ１２０を用いることなく、編集したスケジュールが記録された記録媒体を用いるのみで、所望のスライドショーを鑑賞することができる。
【００３９】
図３は、本発明の実施形態に係る記憶部２２０に記憶されているスケジュールの一例を示す。本図において、電子アルバム表示システム１０は、電子アルバムに含まれる複数の画像をＪＰＥＧ等のフォーマットの画像ファイルとして記録している記録媒体を用いて、スライドショーを表示する。記憶部２２０に記録されているスケジュールは、電子アルバムに含まれる複数の画像のそれぞれを識別する画像識別子を、画像の再生順序により示される順に含んでいる。ここで、画像識別子とは、例えば、画像のファイル名等であってよい。そして、遠隔操作部２６０は、スケジュールに含まれる画像識別子を、先頭から順に、無線通信によって再生部１００に通知することにより、スケジュールにより示される再生順序で再生部１００に画像を再生させる。また、記憶部２２０に記録されているスケジュールは、複数の画像のそれぞれにおける再生時間を更に含んでいてよい。そして、遠隔操作部２６０は、スケジュールに含まれる画像識別子を再生部１００に通知した時刻を記憶しており、当該画像識別子を再生部１００に通知した時点から、当該画像識別子における再生時間が経過した時点で、スケジュールにより定められている次の画像識別子を再生部１００に通知する。
【００４０】
また、記憶部２２０に記録されているスケジュールは、画像の再生順序や再生時間だけでなく、スライドショーの再生動作に関する多様な情報を含んでいてよい。具体的には、記憶部２２０に記録されているスケジュールは、複数の画像のそれぞれについて、画像表示部１１０が当該画像を表示する場合の、当該画像の回転角度を更に含んでいてよい。ここで、回転角度とは、例えば、画像の重心位置を中心として、右回りに画像を回転させて表示する場合の回転角度であってよい。また、記憶部２２０に記録されているスケジュールは、複数の画像のそれぞれについて、画像表示部１１０が当該画像を表示する場合の表示倍率を更に含んでいてよい。
【００４１】
なお、本図において、電子アルバム表示システム１０は、電子アルバムに含まれる複数の画像をＪＰＥＧ等のフォーマットの画像ファイルとして記録している記録媒体を用いているが、これに変えて、複数の画像を、ＭＰＥＧ２等のビデオストリームとして記録しているＤＶＤ−Ｖｉｄｅｏディスクを記録媒体として用いてもよい。この場合、記憶部２２０に記録されているスケジュールは、複数の画像のそれぞれについて、当該画像を識別する画像識別子に代えて、当該画像について予め定められたチャプター（ＰＴＴ）を示す情報を含んでいてよい。そして、遠隔操作部２６０は、再生部１００におけるビデオストリームの再生位置を当該スケジュールに含まれるチャプターに順次変更することにより、再生部１００に、当該スケジュールにより示される再生順序で画像を再生させる。また、遠隔操作部２６０は、再生部１００におけるビデオストリームの再生位置を当該スケジュールに含まれるチャプターに変更した時点から、当該チャプターにおける再生時間が経過した時点で、再生位置を次のチャプターに変更する。
【００４２】
図４は、本発明の実施形態に係る画像表示部１１０により表示される画面の変化の一例を示す。図４（ａ）は、本発明の実施形態に係る画像表示部１１０により表示される画面の第１の例である画面４００を示す。図４（ｂ）は、本発明の実施形態に係る画像表示部１１０により表示される画面の第２の例である画面４１０を示す。
【００４３】
本例において、制御操作部２４０は、制御操作として、電子アルバムに含まれる複数の画像のうち、一の画像における回転角度を制御する旨を示す回転角度制御操作を受ける。例えば、制御操作部２４０は、画像表示部１１０により画面４００が表示されている場合に、リモートコントローラ１２０に設けられた、「右回転」という説明が付記されたボタンが利用者によって押下されることにより、画像４０５の回転角度を、右回りに９０度等の予め定められた角度だけ変化させる旨を示す回転制御操作を受ける。そして、遠隔操作部２６０は、画像４０５の回転角度を、利用者による回転角度制御操作に基づいて変化させるべく、再生部１００に対する遠隔操作を行うことにより、画像表示部１１０により表示されている画面を、画面４００から画面４１０へと変化させる。
【００４４】
また、編集部２５０は、利用者による回転角度制御操作に基づいて、記憶部２２０に記憶されているスケジュールに含まれる、利用者が回転角度制御操作を行った一の画像における回転角度を変更することにより、当該スケジュールを変更して記憶部２２０に記憶させる。例えば、編集部２５０は、当該一の画像を識別する画像識別子に対応する回転角度を「右回り９０度」に変更して記憶部２２０に記憶させる。このようにして記憶部２２０に記憶された回転角度は、次に当該一の画像がスライドショーとして表示される場合に、遠隔操作部２６０によって記憶部２２０から読み取られる。そして、遠隔操作部２６０は、読み取った回転角度を無線通信によって再生部１００に通知する等して、当該一の画像の回転角度を変化させて再生させるべく、再生部１００の再生動作を遠隔操作する。
【００４５】
本発明の実施形態に係る電子アルバム表示システム１０によれば、電子アルバムに含まれる画像が、記録媒体の作成時に天地または縦横を誤って記録されていた場合等に、利用者は、スライドショーとして表示されている画像の回転角度を目で見ながら制御して、当該画像の天地や縦横を修正することにより、スライドショーのスケジュールに含まれる当該画像の回転角度を編集することができる。これにより、次に当該画像をスライドショーとして表示する場合には、利用者が回転角度の制御操作を行わなくとも、自動的に、利用者が所望する回転角度で画像を表示することができる。
【００４６】
図５は、本発明の実施形態に係る画像表示部１１０により表示される画面の変化の他の例を示す。図５（ａ）は、本発明の実施形態に係る画像表示部１１０により表示される画面の第３の例である画面５００を示す。図５（ｂ）は、本発明の実施形態に係る画像表示部１１０により表示される画面の第４の例である画面５１０を示す。
【００４７】
本例において、制御操作部２４０は、制御操作として、電子アルバムに含まれる複数の画像のうち、一の画像の表示倍率を制御する旨を示す表示倍率制御操作を受ける。例えば、制御操作部２４０は、画像表示部１１０により画面５００が表示されている場合に、リモートコントローラ１２０に設けられた「ズームイン」という説明が付記されたボタンが利用者によって押下されることにより、画像５０５の表示倍率を増加させる旨を示す表示倍率制御操作を受ける。そして、遠隔操作部２６０は、画像５０５の表示倍率を、利用者による表示倍率制御操作に基づいて変化させるべく、再生部１００に対する遠隔操作を行うことにより、画像表示部１１０により表示されている画面を、画面５００から画面５１０へと変化させる。
【００４８】
また、編集部２５０は、利用者による表示倍率制御操作に基づいて、記憶部２２０に記憶されているスケジュールに含まれる、利用者が表示倍率制御操作を行った一の画像における表示倍率を変更することにより、当該スケジュールを変更して記憶部２２０に記憶させる。例えば、編集部２５０は、当該一の画像を識別する画像識別子に対応する表示倍率を「２．０」に変更して記憶部２２０に記憶させる。このようにして記憶部２２０に記憶された表示倍率は、次に当該一の画像がスライドショーとして表示される場合に、遠隔操作部２６０によって記憶部２２０から読み取られる。そして、遠隔操作部２６０は、読み取った表示倍率を無線通信によって再生部１００に通知する等して、当該一の画像の表示倍率を変化させて再生させるべく、再生部１００の再生動作を遠隔操作する。
【００４９】
本発明の実施形態に係る電子アルバム表示システム１０によれば、記録媒体に記録されている画像の大きさが小さすぎたり、または大きすぎたりする場合に、利用者は、スライドショーとして表示されている画像の大きさを目で見ながら表示倍率を制御することにより、スライドショーのスケジュールに含まれる当該画像の表示倍率を編集することができる。これにより、次に当該画像をスライドショーとして表示する場合には、利用者が表示倍率の制御操作を行わなくとも、自動的に、利用者が所望する表示倍率で画像を表示することができる。
【００５０】
なお、制御操作部２４０は、図４及び図５において説明した回転角度制御操作及び表示倍率制御操作の他に、多様な制御操作を受けてよい。例えば、制御操作部２４０は、制御操作として、再生部１００による一の画像の再生を中止させて、記憶部２２０に記憶されているスケジュールにおける画像の再生順序により定められている次の画像の再生を開始させる旨を示すスキップ操作を受けてよい。この場合、遠隔操作部２６０は、例えば、当該次の画像の画像識別子を再生部１００に通知することにより、再生部１００に当該次の画像の再生を開始させてよい。
【００５１】
また、編集部２５０は、再生部１００により当該一の画像の再生を開始させた時刻を記憶しており、当該一の画像の再生を開始させてから、当該一の画像の再生を中止させるまでに経過した時間が、予め定められた基準値より短い場合に、記憶部２２０に記憶されているスケジュールから当該一の画像を削除することにより、当該スケジュールを変更して記憶部２２０に記憶させる。ここで、予め定められた基準値とは、例えば２秒等の固定値であってよく、また、スケジュールにおいて当該一の画像の画像識別子に対応付けられている表示時間の２分の１等の可変値であってもよい。
【００５２】
以上により、電子アルバムに、スライドショーとして表示させたくない画像が含まれている場合に、利用者は、再生中のスライドショーにおいて、画像が表示されてから一定時間内にスキップ操作を実行して、次の画像の再生を指示することにより、当該画像をスライドショーから削除することができる。そして、これにより、次にスライドショーを表示する場合には、利用者が指示しなくとも、自動的に、当該画像の表示を行わないようにすることができる。
【００５３】
また、例えば、制御操作部２４０は、制御操作として、再生部１００による一の画像の再生を一時停止させる旨を示す一時停止操作と、一時停止された当該一の画像の再生を再開させる旨を示す一時停止解除操作のそれぞれを受けてよい。この場合、遠隔操作部２６０は、再生部１００がビデオストリームを再生することによりスライドショーを再生する場合には、一時停止または一時停止解除を示す情報を再生部１００に通知することにより、再生部１００において、画像の再生の一時停止または一時停止解除を行わせてよい。また、遠隔操作部２６０は、再生部１００が、画像ファイルを順次再生することによりスライドショーを再生する場合には、再生部１００に次の画像を再生させるタイミングを検出するべく行っている、現在再生されている画像を再生させた時点からの経過時間の計測を一時停止することによって、画像の再生の一時停止を行うと共に、一時停止した当該経過時間の計測を再開することによって、画像の再生の一時停止解除を行ってよい。
【００５４】
そして、編集部２５０は、制御操作部２４０が利用者から一時停止操作を受けた時刻を記憶しており、制御操作部２４０が利用者から一時停止操作を受けてから、一時停止解除操作を受けるまでに経過した時間がより長い程、記憶部２２０に記憶されているスケジュールに含まれる当該一の画像の再生時間をより長くするべく、当該スケジュールを変更して記憶部２２０に記憶させる。例えば、編集部２５０は、一の画像に対する一時停止操作を受けてから、一時停止解除操作を受けるまでに経過した時間に、記憶部２２０に記憶されているスケジュールにおいて、当該一の画像の画像識別子に対応付けられている再生時間を加算した時間を、当該一の画像の新たな再生時間とするべく、スケジュールを変更してよい。また、例えば、編集部２５０は、一の画像に対する一時停止操作を受けてから、一時停止解除操作を受けるまでに経過した時間から、例えば３秒等の予め定められた基準値を差し引いた時間に、当該一の画像の画像識別子に対応付けられている再生時間を加算した時間を、当該一の画像の新たな再生時間とするべく、スケジュールを変更してもよい。この場合、予め定められた基準値を差し引いた時間が、負の値であった場合には、編集部２５０は、当該一の画像の再生時間を短くするべく、スケジュールを変更してよい。
【００５５】
以上により、スライドショーにおいて、現在スケジュールとして定められている再生時間より長い時間、または短い時間、画像を表示したい場合に、利用者は、当該画像がスライドショーとして表示されている状態で、再生の一時停止と一時停止解除を指示することにより、スケジュールに含まれる当該画像の再生時間を容易に編集することができる。そして、これにより、次にスライドショーを表示する場合には、利用者が操作しなくとも、自動的に、当該画像を利用者が所望する時間だけ再生することができる。
【００５６】
図６は、本発明の実施形態に係る電子アルバム表示システム１０における処理の流れの一例を示すフローチャートである。まず、スケジュール取得部２１０が、電子アルバムに含まれる複数の画像におけるスライドショーのスケジュールを取得する（Ｓ１０００）。続いて、記憶部２２０は、取得されたスケジュールを記憶する（Ｓ１０１０）。続いて、スケジュール表示部２３０は、記憶部２２０に記憶されているスケジュールを表示する（Ｓ１０２０）。例えば、スケジュール表示部２３０は、電子アルバムに含まれる複数の画像におけるファイル名等の画像識別子を、画像が表示される順に表示してよい。また、例えば、それぞれの画像のサムネイル画像がスケジュールに含まれる場合に、スケジュール表示部２３０は、電子アルバムに含まれる複数の画像のサムネイル画像を、画像が表示される順に表示してもよい。続いて、電子アルバム表示システム１０は、電子アルバムに含まれる複数の画像を、スケジュールに従って順次表示する（Ｓ１０３０）。
【００５７】
図７は、図６に示したＳ１０３０における詳細な処理の流れの一例を示すフローチャートである。電子アルバム表示システム１０は、以下の処理を、スライドショーとして表示する画像毎に、スケジュールにより示される表示順序で繰り返す（Ｓ１１００）。まず、遠隔操作部２６０は、当該画像を再生させるべく、無線通信によって再生部１００を遠隔操作する（Ｓ１１１０）。例えば、遠隔操作部２６０は、再生部１００に、当該画像のファイル名を通知してよい。続いて、再生部１００は、遠隔操作部２６０による遠隔操作を受けて、当該画像を再生することにより、画像表示部１１０に当該画像を表示させる（Ｓ１１２０）。ここで、制御操作部２４０は、利用者による、再生部１００における複数の画像の再生動作を制御する制御操作を受けたか否かを判定する（Ｓ１１３０）。制御操作部２４０が制御操作を受けていないと判定した場合（Ｓ１１３０：Ｎｏ）、電子アルバム表示システム１０は、処理をＳ１１９０に進める。
【００５８】
一方、制御操作部２４０が制御操作を受けたと判定した場合（Ｓ１１３０：Ｙｅｓ）、遠隔操作部２６０は、制御操作に基づいて再生部１００を遠隔操作する（Ｓ１１４０）。続いて、再生部１００は、制御操作に基づいた遠隔操作部２６０による遠隔操作を受けて画像の再生動作を変更し、再生した画像を画像表示部１１０に表示させる（Ｓ１１５０）。ここで、再生部１００は、当該画像と異なる画像、具体的にはスケジュールにより定められている次の画像を再生してよく、また、当該画像を、回転角度や表示倍率を変更して再生してもよい。続いて、編集部２５０は、制御操作に基づいて、記憶部２２０に記憶されているスケジュールを編集する（Ｓ１１６０）。なお、制御操作部２４０が受けた制御操作が、画像の再生を一時停止させる一時停止操作である場合、編集部２５０は、スケジュールの編集を行わなくともよい。続いて、記憶部２２０は、編集されたスケジュールを記憶する（Ｓ１１７０）。続いて、スケジュール表示部２３０は、編集されて記憶部２２０に記憶されているスケジュールを表示する（Ｓ１１８０）。
【００５９】
そして、電子アルバム表示システム１０は、現在再生部１００により再生されている画像を再生するべく、遠隔操作部２６０が再生部１００を遠隔操作した時点から、当該画像についてスケジュールにより定められている再生時間が経過したか否かを判定する（Ｓ１１９０）。再生時間が経過していないと判定した場合（Ｓ１１９０：Ｎｏ）、電子アルバム表示システム１０は、処理をＳ１１３０に戻して、制御操作部２４０に、再度制御操作を受けたか否かを判定させる。一方、再生時間が経過したと判定した場合、電子アルバム表示システム１０は、以上の処理を、スライドショーとして表示する画像毎に繰り返す（Ｓ１２００）。
【００６０】
図８は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００６１】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００６２】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム及びデータを格納する。通信インターフェイス１５３０は、ネットワークを介してリモートコントローラ１２０と通信し、リモートコントローラ１２０にプログラム及びデータを提供する。ＣＤ−ＲＯＭドライブ１５６０は、ＣＤ−ＲＯＭ１５９５からプログラム又はデータを読み取り、ＲＡＭ１５２０を介してハードディスクドライブ１５４０及び通信インターフェイス１５３０に提供する。
【００６３】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００６４】
ＲＡＭ１５２０を介してハードディスクドライブ１５４０に提供されるプログラムは、フレキシブルディスク１５９０、ＣＤ−ＲＯＭ１５９５、又はＩＣカード等の記録媒体に格納されて利用者によって提供される。プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行される電子アルバム表示プログラムは、ＣＰＵ１５０５等に働きかけて、コンピュータ１５００を、図１から図７にかけて説明した電子アルバム表示システム１０として機能させる。
【００６５】
また、ＲＡＭ１５２０を介して通信インターフェイス１５３０に提供されるプログラムは、フレキシブルディスク１５９０、ＣＤ−ＲＯＭ１５９５、又はＩＣカード等の記録媒体に格納されて利用者によって提供される。プログラムは、記録媒体から読み出され、ＲＡＭ１５２０を介して通信インターフェイス１５３０に提供され、ネットワークを介してリモートコントローラ１２０に送信される。リモートコントローラ１２０に送信されたプログラムは、リモートコントローラ１２０においてインストールされて実行される。リモートコントローラ１２０にインストールされて実行されるリモートコントロールプログラムは、リモートコントローラ１２０を、図１から図７にかけて説明したリモートコントローラ１２０として機能させる。
【００６６】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６８】
１０  電子アルバム表示システム
１００  再生部
１１０  画像表示部
１２０  リモートコントローラ
２００  撮像部
２１０  スケジュール取得部
２２０  記憶部
２３０  スケジュール表示部
２４０  制御操作部
２５０  編集部
２６０  遠隔操作部
【図１】
2010104060.tif 000003
【図２】
2010104060.tif 000004
【図３】
2010104060.tif 000005
【図４】
2010104060.tif 000006
【図５】
2010104060.tif 000007
【図６】
2010104060.tif 000008
【図７】
2010104060.tif 000009
【図８】
2010104060.tif 000010
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
複数の画像を含む電子アルバムを表示する電子アルバム表示システムであって、
前記複数の画像の再生順序を含むスケジュールを表示するスケジュール表示部と、
前記スケジュールを編集する編集部と、
編集された前記スケジュールを記憶する記憶部と、
前記記憶部に記憶されている前記スケジュールに従って前記複数の画像のそれぞれを順次再生する再生部と、
前記再生部により再生された前記複数の画像のそれぞれを表示する画像表示部と、
利用者による、前記再生部における前記複数の画像の再生動作を制御する制御操作を受ける制御操作部と、
を有し、
前記スケジュールには、前記複数の画像のそれぞれについて、当該画像の画像識別子と、前記画像表示部が当該画像を表示する場合の当該画像の回転角度とが関連付けて含まれており、
前記制御操作部は、前記制御操作として、一の画像における前記回転角度を制御する旨を示す回転角度制御操作を受け、
前記編集部は、前記回転角度制御操作に基づいて、前記スケジュールに含まれる、前記一の画像に対応する画像識別子に関連付けられた前記回転角度を変更することにより、前記スケジュールを変更して前記記憶部に記憶させる電子アルバム表示システム。
【請求項２】
複数の画像を含む電子アルバムを表示する電子アルバム表示システムであって、
前記複数の画像の再生順序を含むスケジュールを表示するスケジュール表示部と、
前記スケジュールを編集する編集部と、
編集された前記スケジュールを記憶する記憶部と、
前記記憶部に記憶されている前記スケジュールに従って前記複数の画像のそれぞれを順次再生する再生部と、
前記再生部により再生された前記複数の画像のそれぞれを表示する画像表示部と、
利用者による、前記再生部における前記複数の画像の再生動作を制御する制御操作を受ける制御操作部と、
を有し、
前記スケジュールには、前記複数の画像のそれぞれについて、当該画像の画像識別子と、前記画像表示部が当該画像を表示する場合の表示倍率とが関連付けて含まれており、
前記制御操作部は、前記制御操作として、一の画像の前記表示倍率を制御する旨を示す表示倍率制御操作を受け、
前記編集部は、前記表示倍率制御操作に基づいて、前記スケジュールに含まれる、前記一の画像に対応する画像識別子に関連付けられた前記表示倍率を変更することにより、前記スケジュールを変更して前記記憶部に記憶させる電子アルバム表示システム。
【請求項３】
前記記憶部に記憶される前記スケジュールに従って前記複数の画像のそれぞれを順次再生すべく、無線通信によって前記再生部を遠隔操作する遠隔操作部を備えるリモートコントローラをさらに備え、
前記再生部は、交換可能に設けられた記録媒体から前記複数の画像を読み取って再生し、
前記リモートコントローラが、前記編集部と、前記記憶部と、前記制御操作部とを備える
請求項１または請求項２に記載の電子アルバム表示システム。
【請求項４】
前記記憶部に記憶されている前記スケジュールを、無線通信によって前記再生部に送信するスケジュール送信部
を更に有し、
前記再生部は、更に、前記スケジュール送信部から受信した前記スケジュールを前記記録媒体に記録すると共に、前記記録媒体に記録した前記スケジュールに従って、前記複数の画像のそれぞれを順次読み取って再生する
請求項３に記載の電子アルバム表示システム。
【請求項５】
複数の画像を含む電子アルバムを表示する電子アルバム表示方法であって、
前記複数の画像の再生順序を含むスケジュールを表示するスケジュール表示段階と、
前記スケジュールを編集する編集段階と、
編集された前記スケジュールを記憶部に記憶する記憶段階と、
前記記憶段階において前記記憶部に記憶された前記スケジュールに従って前記複数の画像のそれぞれを順次再生部により再生する再生段階と、
前記再生段階において再生された前記複数の画像のそれぞれを画像表示部に表示する画像表示段階と、
利用者による、前記再生部における前記複数の画像の再生動作を制御する制御操作を受ける制御操作段階と、
を含み、
前記スケジュールには、前記複数の画像のそれぞれについて、当該画像の画像識別子と、前記画像表示段階において当該画像を表示する場合の当該画像の回転角度とが関連付けて含まれており、
前記制御操作段階では、前記制御操作として、一の画像における前記回転角度を制御する旨を示す回転角度制御操作を受け、
前記編集段階では、前記回転角度制御操作に基づいて、前記スケジュールに含まれる、前記一の画像に対応する画像識別子に関連付けられた前記回転角度を変更することにより、前記スケジュールを変更して前記記憶部に記憶させることを特徴とする電子アルバム表示方法。
【請求項６】
複数の画像を含む電子アルバムを表示する電子アルバム表示方法であって、
前記複数の画像の再生順序を含むスケジュールを表示するスケジュール表示段階と、
前記スケジュールを編集する編集段階と、
編集された前記スケジュールを記憶部に記憶する記憶段階と、
前記記憶段階において記憶された前記スケジュールに従って前記複数の画像のそれぞれを順次再生部により再生する再生段階と、
前記再生段階において再生された前記複数の画像のそれぞれを画像表示部に表示する画像表示段階と、
利用者による、前記再生部における前記複数の画像の再生動作を制御する制御操作を受ける制御操作段階と、
を含み、
前記スケジュールには、前記複数の画像のそれぞれについて、当該画像の画像識別子と、前記画像表示段階において当該画像を表示する場合の表示倍率とが関連付けて含まれており、
前記制御操作段階では、前記制御操作として、一の画像の前記表示倍率を制御する旨を示す表示倍率制御操作を受け、
前記編集段階では、前記表示倍率制御操作に基づいて、前記スケジュールに含まれる、前記一の画像に対応する画像識別子に関連付けられた前記表示倍率を変更することにより、前記スケジュールを変更して前記記憶部に記憶させることを特徴とする電子アルバム表示方法。
【請求項７】
前記記憶部に記憶される前記スケジュールに従って前記複数の画像のそれぞれを順次再生すべく、無線通信によって前記再生部を遠隔操作する遠隔操作段階と、
をさらに含み、
前記再生段階では、交換可能に設けられた記録媒体から前記複数の画像を読み取って再生する請求項５または請求項６に記載の電子アルバム表示方法。
【請求項８】
前記記憶部に記憶されている前記スケジュールを、無線通信によって前記再生部に送信するスケジュール送信段階
を更に含み、
前記再生段階では、更に、前記スケジュール送信段階で受信した前記スケジュールを前記記録媒体に記録すると共に、前記記録媒体に記録した前記スケジュールに従って、前記複数の画像のそれぞれを順次読み取って再生する請求項７に記載の電子アルバム表示方法。
【請求項９】
請求項５から請求項８のいずれか一つに記載の電子アルバム表示方法に含まれる各段階を、コンピュータに実行させ、複数の画像を含む電子アルバムを表示する電子アルバム表示システムとして機能させる電子アルバム表示プログラム。